(57)【要約】【課題】配管洗浄が行われる際に浴槽近傍に人がいても、その人に不安感を与えにくい構成であり、配管洗浄が行われていることの表示について、表示スペースを効率的に利用可能な構成を提供する。【解決手段】表示制御部は、温度制御部によって昇温制御が行われる際には、第一表示領域１１１において第一図形１２１を表示状態とし且つ第二表示領域１１２において第二図形１２２を非表示状態とし、温度制御部によって降温制御が行われる際には、第一表示領域１１１において第一図形１２１を非表示状態とし且つ第二表示領域１１２において第二図形１２２を表示状態とし、配管洗浄制御部によって配管洗浄制御が行われる際には、第一表示領域１１１において第一図形１２１を表示状態とし且つ第二表示領域１１２において第二図形１２２を表示状態とするように表示制御を行う。【選択図】図８
2019082319.tif 000002
【特許請求の範囲】
【請求項１】
往き配管と戻り配管と備えるとともに給湯側回路からの水が入り込む経路として構成され且つ浴槽からの水を循環させる循環経路の少なくとも一部を構成する通水管と、前記通水管を通る水に対して熱を伝える熱交換器と、を備え、前記往き配管が前記浴槽側からの水を前記熱交換器側へと導き、前記戻り配管が前記熱交換器側からの水を前記浴槽側へと導く構成とされた風呂側回路と、
表示部を備えたリモートコントローラと、
前記給湯側回路から前記循環経路内へと水を導くとともに前記循環経路を通過させて前記浴槽内へと流すように配管洗浄制御を行う配管洗浄制御部と、
前記表示部の表示を変化させる表示制御を行う表示制御部と、
前記浴槽内の水温を上昇させる昇温制御と、前記浴槽内の水温を下降させる降温制御と、を少なくとも行う温度制御部と、
を有し、
前記表示部には、第一図形を表示する第一表示領域と、第二図形を表示する第二表示領域とが構成されており、
前記表示制御部は、前記温度制御部によって前記昇温制御が行われる際には、前記第一表示領域において前記第一図形を表示状態とし且つ前記第二表示領域において前記第二図形を非表示状態とし、前記温度制御部によって前記降温制御が行われる際には、前記第一表示領域において前記第一図形を非表示状態とし且つ前記第二表示領域において前記第二図形を表示状態とし、前記配管洗浄制御部によって前記配管洗浄制御が行われる際には、前記第一表示領域において前記第一図形を表示状態とし且つ前記第二表示領域において前記第二図形を表示状態とするように表示制御を行う給湯システム。
【請求項２】
前記リモートコントローラは、少なくとも湯張り動作の実行開始に用いられる操作部を備え、
前記操作部に対する所定操作がなされることを条件として前記浴槽内への湯張りを行う湯張り制御部を有し、
前記配管洗浄制御部は、前記湯張り制御部によって行われる湯張り動作の完了後において所定の時間経過状態となった場合に、前記配管洗浄制御を行う請求項１に記載の給湯システム。
【請求項３】
前記リモートコントローラは、少なくとも湯張り動作の実行開始に用いられる操作部を備え、
前記操作部に対する所定操作がなされることを条件として前記浴槽内への湯張りを行う湯張り制御部と、
前記湯張り制御部による前記浴槽への湯張り動作が完了した後、少なくとも保温時間が経過するまでの間、前記循環経路を介して前記浴槽内の水を循環させるとともに前記熱交換器によって循環する水を加熱するように、前記浴槽内の水を保温する制御を行う保温制御部と、
を有し、
前記配管洗浄制御部は、前記保温制御部による保温制御が完了した後に、前記配管洗浄制御を行う請求項１に記載の給湯システム。
【請求項４】
前記保温時間を設定する保温時間設定部と、
前記操作部に対する操作に基づいて前記保温時間設定部での設定内容を変更する設定変更手段と、
を有する請求項３に記載の給湯システム。
【請求項５】
少なくとも湯張り動作の実行開始に用いられる操作部を備えた１又は複数の前記リモートコントローラと、
前記操作部に対する所定操作がなされることを条件として前記浴槽内への湯張りを行う湯張り制御部と、
を有し、
前記配管洗浄制御部は、前記リモートコントローラの所定のオフ状態となってから所定の時間経過状態となった場合に、前記配管洗浄制御を行う請求項１に記載の給湯システム。
【請求項６】
複数の前記リモートコントローラとして、浴室内に設けられる第１リモートコントローラと、浴室とは異なる場所に設けられる第２リモートコントローラと、を備え、
前記配管洗浄制御部は、少なくとも前記第１リモートコントローラの前記所定のオフ状態となってから前記所定の時間経過状態となった場合に前記配管洗浄制御を行う請求項５に記載の給湯システム。
【発明の詳細な説明】
【技術分野】
【０００１】
本発明は、給湯システムに関するものである。
【背景技術】
【０００２】
従来から提供されている給湯システムとして、水を加熱するために用いられる給湯側回路と、主に浴槽内の水を循環させて加熱するために用いられる風呂側回路とを備えた風呂システムがある。この種の給湯システムでは、風呂側回路において、浴槽内の水をその外部で循環させる循環経路、循環経路の水を流動させる動力源となる循環ポンプ、風呂側バーナの燃焼熱によって加熱される風呂側熱交換器、循環経路内の通水温度を検出する温度センサ、などが設けられている。
【０００３】
この給湯システムでは、例えば浴槽内の水を保温する場合、循環ポンプを駆動して循環経路内の水を流動させ、浴槽内の水を循環経路で循環させる。一方で、風呂側バーナを燃焼させて風呂側熱交換器を加熱し、加熱された風呂側熱交換器によって循環経路を通る水に熱を伝達する。このような循環加熱動作を、温度センサでの検出温度が所定温度に達するまで行い、この循環加熱動作を繰り返すことで、浴槽内の水を所望の温度に維持することができる。
【０００４】
但し、この種のシステムを用いる場合、浴槽内の水に、入浴者の皮脂、水垢、埃等の異物が混入する可能性が高く、上述した循環加熱動作を行うと、これらの異物が水と共に循環回路内を循環してしまい、循環回路の内壁面に付着してしまうという問題がある。特に、循環加熱動作が何回も繰り返されると、内壁面において異物が次第に堆積してしまい、衛生面等の諸問題が生じる虞がある。そこで、特許文献１の技術では、所定のタイミングで循環回路内に所定量の水を流し、配管内に付着した異物を洗い流すように洗浄を行っている。
【先行技術文献】
【特許文献】
【０００５】
【特許文献１】特開２０１１−８９７４７号公報
【発明の概要】
【発明が解決しようとする課題】
【０００６】
ところで、上述した給湯システムでは、循環回路の洗浄を行う場合、外部から供給される洗浄水を循環回路に送り込み、循環回路内を洗い流すように流動させて浴槽内に排出するように洗浄を行う。そして、浴槽に排出された排出水は、例えば浴槽内に設けられた排出口を通って浴槽外に排出されることになる。
【０００７】
つまり、この洗浄方式では、循環回路内を洗い流し終えた後の汚水が浴槽内に排出されてしまうため、配管洗浄は、できれば浴槽内に入浴者が存在していない状態で行うことが望ましいといえる。しかしながら、浴槽内に入浴者が存在していないことを確認するためだけに複雑かつ高価な専用装置を採用することは費用対効果の面で望ましくない。
【０００８】
本発明は、上述した課題を解決するためになされたものであり、配管洗浄が行われる際に浴槽近傍に人がいても、その人に不安感を与えにくい構成であり、配管洗浄が行われていることの表示について、表示スペースを効率的に利用可能な構成を提供することを目的とするものである。
【課題を解決するための手段】
【０００９】
本発明は、
往き配管と戻り配管と備えるとともに給湯側回路からの水が入り込む経路として構成され且つ浴槽からの水を循環させる循環経路の少なくとも一部を構成する通水管と、前記通水管を通る水に対して熱を伝える熱交換器と、を備え、前記往き配管が前記浴槽側からの水を前記熱交換器側へと導き、前記戻り配管が前記熱交換器側からの水を前記浴槽側へと導く構成とされた風呂側回路と、
表示部を備えたリモートコントローラと、
前記給湯側回路から前記循環経路内へと水を導くとともに前記循環経路を通過させて前記浴槽内へと流すように配管洗浄制御を行う配管洗浄制御部と、
前記表示部の表示を変化させる表示制御を行う表示制御部と、
前記浴槽内の水温を上昇させる昇温制御と、前記浴槽内の水温を下降させる降温制御と、を少なくとも行う温度制御部と、
を有し、
前記表示部には、第一図形を表示する第一表示領域と、第二図形を表示する第二表示領域とが構成されており、
前記表示制御部は、前記温度制御部によって前記昇温制御が行われる際には、前記第一表示領域において前記第一図形を表示状態とし且つ前記第二表示領域において前記第二図形を非表示状態とし、前記温度制御部によって前記降温制御が行われる際には、前記第一表示領域において前記第一図形を非表示状態とし且つ前記第二表示領域において前記第二図形を表示状態とし、前記配管洗浄制御部によって前記配管洗浄制御が行われる際には、前記第一表示領域において前記第一図形を表示状態とし且つ前記第二表示領域において前記第二図形を表示状態とするように表示制御を行う。
【発明の効果】
【００１０】
本発明では、前記浴槽内の水温を上昇させる昇温制御と、前記浴槽内の水温を下降させる降温制御と、を少なくとも行う温度制御部を設ける。前記表示部には、第一図形を表示する第一表示領域と、第二図形を表示する第二表示領域とが構成されている。前記温度制御部によって前記昇温制御が行われる際には、前記第一表示領域において前記第一図形を表示状態とし且つ前記第二表示領域において前記第二図形を非表示状態とし、前記温度制御部によって前記降温制御が行われる際には、前記第一表示領域において前記第一図形を非表示状態とし且つ前記第二表示領域において前記第二図形を表示状態とし、前記配管洗浄制御部によって前記配管洗浄制御が行われる際には、前記第一表示領域において前記第一図形を表示状態とし且つ前記第二表示領域において前記第二図形を表示状態とするように表示制御を行う構成である。
この構成によれば、昇温制御状態を第一図形によって表し、降温制御状態を第二図形によって表すという基本動作を前提としつつ、配管洗浄状態については第一図形と第二図形とを利用して表すことができる。特に、配管洗浄が行われていることの表示については、専用の表示部を大きく用意することなく、他制御の表示に用いられる図形を兼用して表すことができるため、専用部分を設けることに起因する複雑化が生じにくく、表示スペースを効率的に利用可能であるため、表示領域の大型化も抑えやすくなる。
【図面の簡単な説明】
【００１１】
【図１】図１は、実施例１に係る給湯システムを例示する概略回路図である。
【図２】図２は、実施例１に係る給湯システムを構成するコントローラ及びリモートコントローラを概略的に例示するブロック図である。
【図３】図３は、実施例１に係る給湯システムの第１リモートコントローラにおいてカバーが開いた状態を概略的に示す正面図である。
【図４】図４は、実施例１に係る給湯システムの第２リモートコントローラにおいてカバーが開いた状態を概略的に示す正面図である。
【図５】図５（Ａ）は、実施例１に係る給湯システムにおいて昇温制御（たし湯制御）が行われているときの表示部での表示状態を示す説明図であり、図５（Ｂ）は、図５（Ａ）に続く表示状態を示す説明図であり、図５（Ｃ）は、図５（Ｂ）に続く表示状態を示す説明図である。
【図６】図６（Ａ）は、実施例１に係る給湯システムにおいて降温制御（さし水制御）が行われているときの表示部での表示状態を示す説明図であり、図６（Ｂ）は、図６（Ａ）に続く表示状態を示す説明図であり、図６（Ｃ）は、図６（Ｂ）に続く表示状態を示す説明図である。
【図７】図７は、実施例１に係る給湯システムで行われる湯張り・配管洗浄制御の流れを例示するフローチャートである。
【図８】図８（Ａ）は、リモートコントローラが所定のオン状態のときに配管洗浄が行われる際の表示状態を示す説明図であり、図８（Ｂ）は、リモートコントローラが所定のオフ状態のときに配管洗浄が行われる際の表示状態を示す説明図である。
【図９】図９（Ａ）は、実施例１に係る給湯システムにおいて配管洗浄制御が行われているときの表示部での表示状態を示す説明図であり、図９（Ｂ）は、図９（Ａ）に続く表示状態を示す説明図であり、図９（Ｃ）は、図９（Ｂ）に続く表示状態を示す説明図である。
【図１０】図１０（Ａ）は、配管洗浄をオフ設定する設定操作を説明する説明図であり、図１０（Ｂ）は、配管洗浄をオン設定する設定操作を説明する説明図である。
【図１１】図１１は、実施例２に係る給湯システムで行われる湯張り・配管洗浄制御の流れを例示するフローチャートである。
【図１２】図１２は、実施例２の変更例に係る給湯システムで行われる湯張り・配管洗浄制御の流れを例示するフローチャートである。
【図１３】図１３は、実施例３に係る給湯システムで行われる湯張り・配管洗浄制御の流れを例示するフローチャートである。
【発明を実施するための形態】
【００１２】
本発明の望ましい例を以下に示す。
上述した本発明では、前記リモートコントローラは、少なくとも湯張り動作の実行開始に用いられる操作部を備える構成であってもよい。また、前記操作部に対する所定操作がなされることを条件として前記浴槽内への湯張りを行う湯張り制御部を有していてもよい。この場合、前記配管洗浄制御部は、前記湯張り制御部によって行われる湯張り動作の完了後において所定の時間経過状態となった場合に、前記配管洗浄制御を行う構成であってもよい。
使用者は、湯張り動作が完了した後の近い時間に入浴する可能性が高く、湯張り動作が完了してからある程度時間が経過した後は、誰も入浴していない可能性が高くなる。従って、湯張り動作の完了後において所定の時間経過状態となった場合に配管洗浄を行うようにすれば、使用者が入浴していないタイミングで配管洗浄が行われる可能性が高くなる。しかも、使用者の入浴を監視するための複雑且つ高価な専用装置を設ける必要がないため、装置構成の簡易化の面でも有利になる。
更に、本発明では、少なくとも配管洗浄制御部によって配管洗浄制御が行われる際に、表示部において配管洗浄中であることを示す表示が行われる。従って、仮に湯張り動作が完了してからある程度時間が経過した時期に使用者が入浴してしまい、その入浴時期に配管洗浄に起因する変化（浴槽への洗浄水の流れ込み等）が生じたとしても、入浴中の使用者は、表示部の表示を見ることで変化の原因を早期に認識しやすいため、急な変化に起因する不安感をもちにくくなる。
【００１３】
上述した本発明では、前記リモートコントローラは、少なくとも湯張り動作の実行開始に用いられる操作部を備える構成であってもよい。また、前記操作部に対する所定操作がなされることを条件として前記浴槽内への湯張りを行う湯張り制御部を有していてもよい。この場合、前記配管洗浄制御部は、前記湯張り制御部によって行われる湯張り動作の完了後において所定の時間経過状態となった場合に、前記配管洗浄制御を行う構成であってもよい。
このように保温制御が行われる構成では、使用者は、保温制御がなされている間に入浴する可能性が高く、保温制御が終わった後は入浴する可能性が低くなる。従って、保温制御が完了した後に配管洗浄を行うようにすれば、使用者が入浴していないタイミングで配管洗浄が行われる可能性が高くなる。しかも、使用者の入浴を監視するための複雑且つ高価な専用装置を設ける必要がないため、装置構成の簡易化の面でも有利になる。
更に、本発明では、少なくとも配管洗浄制御部によって配管洗浄制御が行われる際に、表示部において配管洗浄中であることを示す表示が行われる。従って、仮に保温制御の完了後に使用者が入浴してしまい、その入浴時期に配管洗浄に起因する変化（浴槽への洗浄水の流れ込み等）が生じたとしても、入浴中の使用者は、表示部の表示を見ることで変化の原因を早期に認識しやすいため、急な変化に起因する不安感をもちにくくなる。
【００１４】
また本発明では、前記保温時間を設定する保温時間設定部と、前記操作部に対する操作に基づいて前記保温時間設定部での設定内容を変更する設定変更手段と、を有する構成であってもよい。このような設定変更を可能とすれば、ユーザが所望の保温時間を設定できるようになり、利便性が増す。また、保温時間を設定変更可能とすることで、ユーザが、「配管洗浄が行われるまでの時間」を設定変更できるようになるため、利便性が一層増す。
【００１５】
上述した本発明では、前記リモートコントローラは、少なくとも湯張り動作の実行開始に用いられる操作部を備える構成であってもよい。また、前記操作部に対する所定操作がなされることを条件として前記浴槽内への湯張りを行う湯張り制御部を有していてもよい。また、前記湯張り制御部による前記浴槽への湯張り動作が完了した後、少なくとも保温時間が経過するまでの間、前記循環経路を介して前記浴槽内の水を循環させるとともに前記熱交換器によって循環する水を加熱するように、前記浴槽内の水を保温する制御を行う保温制御部を有していてもよい。この場合、前記配管洗浄制御部は、前記保温制御部による保温制御が完了した後に、前記配管洗浄制御を行う構成であってもよい。
リモートコントローラを用いて各種操作を行い得る構成では、使用者は、リモートコントローラがオン状態である間に入浴する可能性が高く、オフ状態となった後は入浴する可能性が低くなる。従って、リモートコントローラが所定のオフ状態となった後に配管洗浄を行うようにすれば、使用者が入浴していないタイミングで配管洗浄が行われる可能性が高くなる。しかも、使用者の入浴を監視するための複雑且つ高価な専用装置を設ける必要がないため、装置構成の簡易化の面でも有利になる。
更に、本発明では、少なくとも配管洗浄制御部によって配管洗浄制御が行われる際に、表示部において配管洗浄中であることを示す表示が行われる。従って、仮にリモートコントローラの電源オフ後に使用者が入浴してしまい、その入浴時期に配管洗浄に起因する変化（浴槽への洗浄水の流れ込み等）が生じたとしても、入浴中の使用者は、表示部の表示を見ることで変化の原因を早期に認識しやすいため、急な変化に起因する不安感をもちにくくなる。
【００１６】
また本発明は、複数の前記リモートコントローラとして、浴室内に設けられる第１リモートコントローラと、浴室とは異なる場所に設けられる第２リモートコントローラと、を備える構成であってもよい。この場合、前記配管洗浄制御部は、少なくとも前記第１リモートコントローラが前記所定のオフ状態となってから前記所定の時間経過状態となった場合に前記配管洗浄制御を行う構成としてもよい。このように２以上のリモートコントローラを用いる構成では、浴室内の第１リモートコントローラがオン状態である間に入浴する可能性が高く、オフ状態となった後は入浴する可能性が低くなる。従って、浴室内の第１リモートコントローラが所定のオフ状態となった後に配管洗浄を行うようにすれば、使用者が入浴していないタイミングで配管洗浄が行われる可能性がより高くなる。
【００１７】
前記第一図形と前記第二図形とを表示可能に構成したいずれの発明でも、前記表示装置には、所定の浴槽図形を表示する浴槽表示領域が構成されていてもよい。そして、前記第一表示領域で表示される前記第一図形が、前記浴槽表示領域側を指す第一矢印図形を含み、前記第二表示領域で表示される前記第二図形が、前記浴槽表示領域側を指す第二矢印図形を含み、前記第一表示領域と前記第二表示領域とが、前記浴槽表示領域の側方において上下二段に構成されていてもよい。
この構成では、昇温制御については、浴槽に向かう第一矢印図形を用いて簡易に表すことができる。利用者は、第一矢印図形が昇温制御と対応付けられたものであると認識できれば、第一矢印図形が表示される度に、昇温制御が行われていることを直感的に把握しやすくなる。また、降温制御についても、浴槽に向かう第二矢印図形を用いて簡易に表すことができる。利用者は、第二矢印図形が降温制御と対応付けられたものであると認識できれば、第二矢印図形が表示される度に、降温制御が行われていることを直感的に把握しやすくなる。特に、上下二段の矢印図形の択一的な表示によって、いずれの制御が行われているかを簡易に知らせることができるため、それほどスペースを割くことなく、有効な情報表示が可能となる。
更に、配管洗浄制御については、上述した二種類の矢印図形を共に表示するという簡易な方式で、配管洗浄を直感的にイメージしやすい図形を表すことができる。特に、二種類の矢印図形は、昇温制御や降温制御の際には片方のみしか表示されないため、両矢印図形が表示されたときには昇温制御や降温制御ではない別の制御が行われていることを迅速に把握しやすくなる。しかも、配管洗浄のときには、昇温制御や降温制御のときよりも多くの矢印が表されるため、浴槽内へ多くの水が流れ込むことを直感的にイメージしやすくなり、「昇温制御や降温制御ではない別の制御」が配管洗浄であると推測しやすくなる。
【００１８】
また、第一矢印図形及び第二矢印図形を表示可能としたいずれの発明でも、前記表示制御部は、前記配管洗浄制御部によって前記配管洗浄制御が行われる最中には、前記第一矢印図形の表示度合いと前記第二矢印図形の表示度合いとを同期させつつ時間経過に伴って両矢印図形が前記浴槽図形に向かって次第に延びるように短時間毎の動的表示を行い、且つ前記短時間毎の動的表示を繰り返すように表示制御を行う構成であってもよい。
この構成では、配管洗浄制御の際に、上下二段の矢印が徐々に延びるような動的表示が繰り返されるため、特別な専用表示部に頼らずとも、浴槽内へ多くの水が流れ込むことをより一層イメージしやすい態様で表すことができる。そして、利用者は、この動的表示を見たときに、配管洗浄が行われていることをより強く意識しやすくなり、突発的な配管洗浄であっても利用者の混乱が生じにくくなる。
【００１９】
また、前記第一図形と前記第二図形を表示可能としたいずれの発明でも、前記表示制御部は、前記リモートコントローラが所定のオフ状態であるときに前記配管洗浄制御部によって前記配管洗浄制御が行われる最中は、前記浴槽表示領域での前記浴槽図形の表示と、前記第一表示領域での前記第一図形の表示と、前記第二表示領域での前記第二図形の表示と、を行い、且つ、前記浴槽図形、前記第一図形、前記第二図形以外の所定の運転情報の表示をオフ状態にするように表示制御を行う構成であってもよい。
この構成によれば、リモートコントローラが所定のオフ状態である場合でも、配管洗浄制御が行われる際はその旨を利用者に知らせることができ、利用者の混乱を抑えつつ利便性を高めやすくなる。一方で、所定の運転情報の表示をオフ状態にすることができるため、表示内容を絞って省電力化を図ることができる。
【００２０】
また、前記第一図形と前記第二図形を表示可能としたいずれの発明でも、前記リモートコントローラが、浴室内に配置される第１リモートコントローラとして構成されていてもよい。更に、浴室外に配置される第２リモートコントローラが設けられていてもよい。そして、前記第１リモートコントローラに設けられた前記表示部において前記第一表示領域と前記第二表示領域とが構成され、前記表示制御部は、前記第１リモートコントローラが前記所定のオフ状態であるときに前記配管洗浄制御部によって前記配管洗浄制御が行われる最中は、前記第１リモートコントローラにおいて前記浴槽表示領域での前記浴槽図形の表示と、前記第一表示領域での前記第一図形の表示と、前記第二表示領域での前記第二図形の表示と、を行うとともに前記所定の運転情報の表示を非表示状態にするように表示制御を行う構成であってもよい。そして、前記第２リモートコントローラは、前記第１リモートコントローラが前記所定のオフ状態となるときに連動して電源オフ状態となり、且つ前記電源オフ状態となるときに当該第２リモートコントローラの表示装置における表示領域全体が非表示状態とされる構成であってもよい。
この構成によれば、二種類のリモートコントローラがオフ状態であるときに配管洗浄制御が行われる場合、浴室内に配置される第１リモートコントローラでは、配管洗浄制御を知らせる必要部分が選択的に表示状態になり、所定の運転情報の表示がオフ状態になる。このため、省電力化を図りながら、利用者の混乱を抑えることができる。一方、浴室外の第２リモートコントローラでは、表示装置における表示領域全体が非表示状態となるため、より一層の省電力化を図ることができる。この場合、第２リモートコントローラでは、配管洗浄制御が行われていることの表示がなされないことになるが、浴室外では、配管洗浄に起因して使用者が混乱する可能性が相対的に低いため、省電力化をより重視しても問題は生じにくい。
【００２１】
また、前記第一図形と前記第二図形を表示可能としたいずれの発明でも、前記表示制御部は、前記温度制御部によって前記昇温制御が行われる際には、前記第一表示領域において前記第一図形を表示状態とするとともに、前記第一図形に近接した位置で前記昇温制御が行われていることを示す第一情報を表示状態とし、且つ前記第二表示領域において前記第二図形を非表示状態とするとともに、前記降温制御が行われていることを示す第二情報を非表示状態とし、前記温度制御部によって前記降温制御が行われる際には、前記第二表示領域において前記第二図形を表示状態とするとともに、前記第二図形に近接させて位置で前記第二情報を表示状態とし、且つ前記第一表示領域において前記第一図形を非表示状態とするとともに、前記第一情報を非表示状態とし、前記配管洗浄制御部によって前記配管洗浄制御が行われる際には、前記第一表示領域において前記第一図形を表示状態とし且つ前記第二表示領域において前記第二図形を表示状態とし、前記第一情報及び前記第二情報をいずれも非表示状態とするように表示制御を行う構成であってもよい。
この構成では、第一図形の表示を昇温制御と配管洗浄制御とに兼用して表示の効率化を図りつつ、昇温制御の際には、昇温制御が行われていることを示す第一情報を第一図形の近傍で表示することで、昇温制御中であることをより確実に認識させやすくなる。また、第二図形の表示を降温制御と配管洗浄制御とに兼用して表示の効率化を図りつつ、降温制御の際には、降温制御が行われていることを示す第二情報を第二図形の近傍で表示することで、降温制御中であることをより確実に認識させやすくなる。一方で、配管洗浄制御の際には、第一情報及び第二情報がいずれも非表示状態となるため、昇温制御や降温制御と誤認識されにくくなり、第一図形と第二図形がいずれも表示される特殊な表示状態となるため、特別な制御状態であることを使用者等が認識しやすくなる。
【００２２】
＜実施例１＞
以下、発明の一例を示す実施例１について、図面を参照して説明する。
（基本構成）
図１で示す給湯システム１は、浴槽への給湯機能と浴槽内の水の加熱機能とを備えた風呂・給湯システムとして構成され、主として、給湯側回路２と風呂側回路３とを備えている。給湯側回路２は、入水管１２、出湯管１０、熱交換器６（給湯側熱交換器）などを備えており、外部から供給された水道水を加熱し出湯させる経路として機能する。また、風呂側回路３は、ガスバーナ５４（風呂バーナ）、熱交換器５６（風呂側熱交換器）、通水管６６、循環ポンプ６２、サーミスタ６４，６５などを備えており、風呂の追い炊き等に利用されるものである。
【００２３】
給湯側回路２において、入水管１２は、水入口１６からの水が流れ込む経路として構成され、出湯管１０は、湯出口１８へ湯を送り出す経路として構成される。また、熱交換器６は、ガスバーナ（給湯バーナ）４からの燃焼熱を交換する一次熱交換器７及び二次熱交換器８を備える。給湯側回路２では、二次熱交換器８の入口に、水道水を供給する構成で入水管１２が接続されており、この入水管１２には、管内の通水を検出する通水センサ３４（給湯水量センサ）が設けられている。入水管１２の下流側には、二次熱交換器８の伝熱管８ａが接続されており、その下流側には、二次熱交換器８の伝熱管８ａと一次熱交換器７の伝熱管７ａとを連結する通水管２０が接続される。更に、この通水管２０に連結された構成で一次熱交換器７の伝熱管７ａが接続され、一次熱交換器７の出口には、一次熱交換器７で加熱された湯を出湯する構成で出湯管１０が接続されている。この出湯管１０には、管内の水の温度を検出するサーミスタ２６が設けられている。
【００２４】
また、給湯燃焼室９０内において、一次熱交換器７はガスバーナ４の燃焼排気経路の上流側に配置され、二次熱交換器８は燃焼排気経路の下流側に配置されており、一次熱交換器７によって燃焼排気の顕熱を回収した後、二次熱交換器８によって潜熱を回収するように機能する。一次熱交換器７は、一次熱交換器７内の通水経路となる伝熱管７ａを備えており、伝熱管７ａ内を通る水に対してガスバーナ４で発生した燃焼排気に含まれる燃焼熱を伝熱し、顕熱の熱エネルギーを通水に伝達する形で熱交換する。また、二次熱交換器８は、二次熱交換器８内の通水経路となる伝熱管８ａを備えており、伝熱管８ａ内を通る水に対し、ガスバーナ４で発生した燃焼排気が一次熱交換器７を通過した後の燃焼熱を伝熱し、潜熱の熱エネルギーを通水に伝達するように熱交換する。
【００２５】
また、入水管１２と出湯管１０との間をバイパスする通水経路として、熱交換器６とは異なる通水経路として構成されたバイパス路１４が設けられている。そして、このバイパス路１４には、バイパス路１４の通水を遮断した閉塞状態と、この閉塞状態よりも開度を増大させた開放状態とに移行可能なバイパス弁３２が設けられている。入水管１２において、バイパス路１４が連結する分岐位置よりも上流側には、通水量制御弁３３が設けられている。この通水量制御弁３３は、コントローラ２２からの指示を受けて駆動軸の回転角度が制御されるモータを備えており、入水管１２を閉塞状態と全開状態との間で様々な開度に連続的に変更できる構成となっている。
【００２６】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。また、ガスバーナ５４（風呂バーナ）に接続されるガス管からの分岐管には、切替電磁弁５３が設けられている。
【００２７】
風呂側回路３において、通水管６６は、給湯側回路２からの水が入り込む経路として構成され且つ浴槽６０からの水を循環させる循環経路の少なくとも一部を構成するものである。この通水管６６は、浴槽６０側からの水を熱交換器５６側へと導くための往き配管６８と、熱交換器５６側からの水を浴槽６０側へと導くための戻り配管６７と、往き配管６８と戻り配管６７とに連結されて熱交換器５６内を通る中間配管６９とを備える。この通水管６６は、例えば追い炊き動作時に浴槽６０から引き込まれる水を往き配管６８によって熱交換器５６に導き、この熱交換器５６を通過した水を戻り配管６７によって浴槽６０に導くように循環させることが可能な循環経路として機能する。熱交換器５６は、風呂一次熱交換器５７と風呂二次熱交換器５８とを備え、通水管６６を通る水に対してガスバーナ５４（風呂バーナ）での燃焼によって生じた燃焼熱を伝達するように、循環水を加熱する構成となっている。往き配管６８は、浴槽６０と風呂一次熱交換器５７との間に配置されており、この往き配管６８には、往き配管６８を通る水の温度を検出するサーミスタ６５（風呂サーミスタ）が設けられている。
【００２８】
戻り配管６７は、風呂二次熱交換器５８と浴槽６０との間に配置されており、この戻り配管６７には、循環ポンプ６２とサーミスタ６４（風呂サーミスタ）とが設けられている。循環ポンプ６２は、通水管６６内の水を流動させる装置であり、熱交換器５６側から水を引き込み、引き込んだ水を熱交換器５６とは反対側から浴槽６０に向けて排出するように機能する。また、戻り配管６７には、出湯管１０から分岐された落とし込み管７０が接続されており、この落とし込み管７０には、給湯用電磁弁７２及び落とし込み水量センサ７４が設けられている。そして、落とし込み管７０に設けられた給湯用電磁弁７２を開弁させることで、給湯側回路２で加熱された湯を浴槽６０へ供給することが可能となっている。
【００２９】
また、給湯システム１には、図１、図２で示すように制御装置としてのコントローラ２２が設けられている。図２で示すように、コントローラ２２には、例えば、公知のマイクロコンピュータ等として構成される制御部２２Ａと、公知の半導体メモリ等として構成されるメモリ２２Ｂと、外部との通信を行うためのインタフェースとして構成される通信部２２Ｃとが設けられている。このコントローラ２２は、例えば図７で示す制御など、様々な制御を行い得る構成となっている。
【００３０】
図２のように、コントローラ２２には、複数のリモートコントローラ８０がコントローラ２２と通信し得る構成で接続されている。図１、図２の例では、複数のリモートコントローラ８０として、浴室内に設けられる第１リモートコントローラ８１と、浴室とは異なる場所（例えば台所等）に設けられる第２リモートコントローラ８２とが設けられている。図２のように、第１リモートコントローラ８１は、公知のマイクロコンピュータ等として構成される制御部８１Ａと、液晶表示装置等として構成される表示部８１Ｂと、押圧ボタン等の公知のスイッチが複数設けられるとともに少なくとも湯張り動作の実行開始に使用される操作部８１Ｃと、リモートコントローラ８１で生成された信号等をコントローラ２２に伝達するための通信部８１Ｄとを備えている。この第１リモートコントローラ８１の外観は、例えば図３のようになっている。図２のように、第２リモートコントローラ８２は、公知のマイクロコンピュータ等として構成される制御部８２Ａと、液晶表示装置等として構成される表示部８２Ｂと、押圧ボタン等の公知のスイッチが複数設けられてなる操作部８２Ｃと、リモートコントローラ８２で生成された信号等をコントローラ２２に伝達するための通信部８２Ｄとを備えている。この第２リモートコントローラ８２の外観は、例えば図４のようになっている。
【００３１】
第１リモートコントローラ８１と第２リモートコントローラ８２は、オンオフ状態が連動するようになっている。例えば、第１リモートコントローラ８１及び第２リモートコントローラ８２のいずれもが運転オフ状態のときに第１リモートコントローラ８１の運転切替ボタン９１Ａ又は第２リモートコントローラ８２の運転切替ボタン９２Ａが押されたときには、第１リモートコントローラ８１及び第２リモートコントローラ８２がいずれも運転オン状態に切り替わる。また、第１リモートコントローラ８１及び第２リモートコントローラ８２がいずれも運転オン状態のときに運転切替ボタン９１Ａ又は運転切替ボタン９２Ａが押されたときには、第１リモートコントローラ８１及び第２リモートコントローラ８２がいずれも運転オフ状態に切り替わる。第１リモートコントローラ８１及び第２リモートコントローラ８２のいずれかが運転オン状態のときには、コントローラ２２は、ガスバーナ４を動作させ得るように機能し、通水センサ３４（給湯水量センサ）による通水検知時にガスバーナ４を動作させて湯を生成する。一方、第１リモートコントローラ８１及び第２リモートコントローラ８２がいずれも運転オフ状態のときには、コントローラ２２は、ガスバーナ４を動作させず、入水管１２の通水時でも、非通水時でも、湯の生成がなされないようになっている。
【００３２】
（たし湯制御、及びさし水制御）
給湯システム１では、後述する湯張り制御によって浴槽６０内に湯を流し込み、湯張りを行うことが可能となっている。また、浴槽６０に湯が張られた状態では、たし湯制御やさし水制御が可能となっており、浴槽６０内の湯を昇温させたり、降温させたりすることが可能となっている。なお、本明細書では、コントローラ２２が温度制御部の一例に相当し、浴槽６０内の水温を上昇させる昇温制御と、浴槽６０内の水温を下降させる降温制御と、を少なくとも行うように機能する。また、本明細書では、第１リモートコントローラ８１の制御部８１Ａが表示制御部の一例に相当し、表示部８１Ｂの表示を変化させる各種表示制御を行う。
【００３３】
たし湯制御は、所定のたし湯開始条件の成立に伴って実行される。具体的には、第１リモートコントローラ８１が上述した運転オン状態のときに所定のたし湯開始操作（例えば、図３に示すたし湯ボタン９１Ｆを押す操作）が行われた場合にコントローラ２２によってたし湯制御が実行される。このたし湯制御中は、給湯側回路２を動作させて所定温度（例えば、予め定められた風呂設定温度）の湯を生成し、給湯側回路２から落とし込み管７０を通して所定温度且つ所定量（例えば、２０リットル）の湯を浴槽６０に流し込む。なお、たし湯開始操作の際に、たし湯制御時のたし湯量である「所定量」をユーザが指定できるように構成されていてもよい。
【００３４】
そして、コントローラ２２によってたし湯制御が行われている間は、第１リモートコントローラ８１の制御部８１Ａ及び表示部８１Ｂによって図５に示すような表示が行われる。ここで、表示部８１Ｂに構成される各表示領域を説明する。本構成では、表示部８１Ｂにおいて細分化された複数の表示領域が構成されており、表示部８１Ｂに構成される全ての表示領域を表示状態とした場合には、図３のような表示がなされるようになっている。図３で示す表示部８１Ｂにおいて明色（白色）とされた領域が、表示状態又は非表示状態に切り替え可能な領域であり、細分化された各表示領域の表示状態の切り替えにより、様々な情報を表示可能となっている。
【００３５】
表示部８１Ｂには、Ｕ状に構成される所定の浴槽図形１２４を表示する浴槽表示領域１１４と、第一図形１２１を表示する領域である第一表示領域１１１と、第二図形１２２を表示する領域である第二表示領域１１２とが構成されている。図５（Ｃ）のように第一表示領域１１１で表示される第一図形１２１は、浴槽表示領域１１４側を指す第一矢印図形となっている。また、図６（Ｃ）のように、第二表示領域１１２で表示される第二図形１２２は、浴槽表示領域１１４側を指す第二矢印図形となっている。そして、第一表示領域１１１と第二表示領域１１２とが、浴槽表示領域１１４の側方において上下二段に構成されている。また、図５（Ｃ）のように、第一図形１２１（第一矢印図形）に近接した位置（即ち、第一表示領域１１１に近接した位置）には、昇温制御が行われていることを示す第一情報（「たし湯」の文字情報１４１）を表示する第一情報表示領域１３１が構成される。また、図６（Ｃ）のように、第二図形１２２（第二矢印図形）に近接した位置（即ち、第二表示領域１１２に近接した位置）には、降温制御が行われていることを示す第二情報（「さし水」の文字情報１４２）を表示する第二情報表示領域１３２が構成される。なお、浴槽表示領域１１４に表わされる浴槽図形１２４の内側には、設定された浴槽温度を表す温度表示領域１１８と、設定された浴槽の水位情報を表す水位表示領域１１６とが構成されている。
【００３６】
このように構成される表示部８１Ｂでは、コントローラ２２からの指示によってたし湯制御が行われている際には（即ち、温度制御部によって昇温制御が行われる際には）、図５のように、第一表示領域１１１において第一図形１２１を表示状態とするとともに、第一図形１２１に近接した位置で昇温制御が行われていることを示す第一情報（「たし湯」の文字情報１４１）を表示状態とする。更に、第二表示領域１１２において第二図形１２２を非表示状態とするとともに、降温制御が行われていることを示す第二情報（「さし水」の文字情報１４２）を非表示状態とする。なお、たし湯制御中は、図５（Ａ）〜（Ｃ）のように表示の切り替えがなされるが、浴槽図形１２４、文字情報１４１、水位情報、浴槽温度は、継続的に表示し続けるような静的表示とする。一方、第一表示領域１１１については、図５（Ａ）、図５（Ｂ）、図５（Ｃ）の順で表示を行い、図５（Ａ）（Ｂ）（Ｃ）の表示を複数回繰り返すことで、時間経過に伴って矢印図形が浴槽図形に向かって次第に延びるような短時間の動的表示を繰り返し行う。
【００３７】
次に、さし水制御について説明する。さし水制御は、所定のさし水開始条件の成立に伴って実行される。具体的には、第１リモートコントローラ８１が上述した運転オン状態のときに所定のさし水開始操作（例えば、図３に示すさし水ボタン９１Ｇを押す操作）が行われた場合にコントローラ２２によってさし水制御が実行され、ガスバーナ４を動作させずに予め定められた所定量（例えば、１０リットル）の冷水を浴槽６０に流し込む。つまり、さし水制御時には、ガスバーナ４を燃焼させずに水入口１６から導入された水を、落とし込み管７０を介して浴槽６０に流し込むことになる。なお、さし水制御時のさし水量である「所定量」は、さし水開始操作の際にユーザが指定できる構成であってもよい。
【００３８】
そして、コントローラ２２からの指示によってさし水制御が行われている際には（即ち、温度制御部によって降温制御が行われる際には）、第１リモートコントローラ８１の制御部８１Ａ及び表示部８１Ｂによって図６に示すような表示が行われる。具体的には、図６のように、第二表示領域１１２において第二図形１２２を表示状態とするとともに、第二図形１２２に近接した位置で降温制御が行われていることを示す第二情報（「さし水」の文字情報１４２）を表示状態とする。更に、第一表示領域１１１において第一図形１２１を非表示状態とするとともに、昇温制御が行われていることを示す第一情報（「たし湯」の文字情報１４１）を非表示状態とする。なお、さし水制御中は、図６（Ａ）〜（Ｃ）のように表示の切り替えがなされるが、浴槽図形１２４、文字情報１４１、水位情報、浴槽温度は、継続的に表示し続けるような静的表示とする。一方、第二表示領域１１２については、図６（Ａ）、図６（Ｂ）、図６（Ｃ）の順で表示を行い、図６（Ａ）（Ｂ）（Ｃ）の表示を複数回繰り返すことで、時間経過に伴って矢印図形が浴槽図形に向かって次第に延びるような短時間の動的表示を繰り返し行う。
【００３９】
（湯張り・配管洗浄制御）
次に、本構成の給湯システム１で行われる湯張り・配管洗浄制御を説明する。
図７で示す制御は、例えば、リモートコントローラ８０が上述した運転オン状態になった場合に実行される。例えば、第１リモートコントローラ８１及び第２リモートコントローラ８２が上述した運転オフ状態のときに運転切替ボタン９１Ａ又は運転切替ボタン９２Ａが押されると、第１リモートコントローラ８１及び第２リモートコントローラ８２がいずれも運転オン状態に切り替わり、この切り替わりをトリガとしてコントローラ２２によって図７の制御が実行される。この制御では、まず、コントローラ２２がＳ１０の判断処理を行い、湯張り開始条件が成立したか否かを判断する。湯張り開始条件は、例えば、「リモートコントローラ８１の自動ボタン９１Ｄ又はリモートコントローラ８２の自動ボタン９２Ｄのいずれかが押されたこと」又は「予約による湯張り条件が成立したこと」のいずれかである。図７の処理では、リモートコントローラ８０が運転オン状態となった後、湯張り開始条件が成立するまではＳ１０にてＮｏの判断が繰り返され、待機状態となる。一方、リモートコントローラ８１の自動ボタン９１Ｄが押されるなどの湯張り開始条件が成立した場合には、Ｓ１０にてＹｅｓに進み、Ｓ１１にて湯張りを開始する。コントローラ２２は、Ｓ１１の処理の実行に伴い、落とし込み管７０に設けられた給湯用電磁弁７２を開弁させ、予め設定された温度の湯を生成するように給湯側回路２を動作させ、生成された湯を、落とし込み管７０及び通水管６６を介して浴槽６０に流し込むように制御する。Ｓ１１の後には、浴槽６０内の湯量が予め設定された湯量に達したか否かを判断し（Ｓ１２）、浴槽６０内の湯量が予め設定された湯量に達していない間は、Ｓ１２にてＮｏの判断が繰り返され、浴槽６０への湯の流し込みを継続することになる。浴槽６０内の湯量が予め設定された湯量に達した場合には、Ｓ１２にてＹｅｓに進み、給湯用電磁弁７２を閉弁させて上述した湯張り動作（即ち、浴槽６０への湯の流し込み）を終了する（Ｓ１３）。なお、図７では図示を省略しているが、予め設定された湯量に達したときに浴槽６０内の温度が設定温度以下である場合、循環ポンプ６２を駆動して浴槽６０内の水を通水管６６によって循環させ、設定温度に達するまで、通水管６６を通る水に対してガスバーナ５４（風呂バーナ）での燃焼によって生じた燃焼熱を伝達するように循環加熱することが望ましい。本構成では、このようにして湯張り制御がなされる。
【００４０】
本構成では、コントローラ２２が湯張り制御部の一例に相当し、操作部に対する所定操作（例えば、自動ボタン９１Ｄ又は９２Ｄの押圧操作）がなされることを条件として前記浴槽内への湯張りを行うように機能する。なお、「操作部に対する所定操作」は、湯張りを開始し得る一つの条件であり、これ以外の方法でも、湯張りの開始が可能となっていてもよい。例えば、設定時刻が到来したときに湯張りを開始するような予約がなされている場合、設定時刻の到来が湯張り開始条件となる。
【００４１】
Ｓ１３の後には、保温設定がなされているか否かを判断する（Ｓ１４）。本構成では、保温制御を行うか否かを、予め設定によって定めておくことができ、具体的には、リモートコントローラ８０の操作部に対して所定操作を行うことで保温時間を入力することができるようになっている。そして、このような保温時間の入力があった場合には、メモリ２２Ｂにおいて、保温設定がなされていることを示す情報と、保温時間とが記憶されるようになっている。Ｓ１４の判断処理では、メモリ２２Ｂを参照し、「保温設定がなされていることを示す情報」と「保温時間」とがメモリ２２Ｂに記憶されている場合、Ｙｅｓに進む。一方、「保温設定がなされていることを示す情報」がメモリ２２Ｂに記憶されていない場合には、Ｓ１４にてＮｏに進む。なお、Ｓ１４にてＮｏに進む場合には、Ｓ１０に戻り、上述したように、湯張り開始条件が成立するまで待機状態となる。
【００４２】
一方、Ｓ１４において「保温設定がなされていることを示す情報」と「保温時間」とがメモリ２２Ｂに記憶されていると判断される場合には、Ｓ１４にてＹｅｓに進み、タイマをスタートさせて保温時間の計測を開始し（Ｓ１５）、保温制御も開始する（Ｓ１６）。Ｓ１６で保温制御が開始した後には、「循環加熱処理」「待機処理」を繰り返すように保温制御を行う。「循環加熱処理」は、Ｓ１６の実行又は「待機処理」の終了によって行われる処理であり、この処理では、循環ポンプ６２を駆動して水を流動させ、浴槽６０内の水が通水管６６を通って浴槽６０内に戻るように水を循環させる。更に、通水管６６を通る水に対してガスバーナ５４（風呂バーナ）での燃焼によって生じた燃焼熱を伝達するように、通水管６６を通る循環水を加熱する。この「循環加熱処理」は、浴槽６０内の湯温が温度表示領域１１８で表示される設定温度に達するまで行い、設定温度に達した後は、「循環加熱処理」を停止させて「待機処理」を行う。「待機処理」は、循環加熱処理中に浴槽６０内の湯温が所定温度に達した場合に実行され、「循環加熱処理の停止後、所定時間が経過し、且つ、浴槽６０内の湯温が設定温度未満となる」という条件を満たすまで、「循環加熱処理」の停止を継続するように「待機処理」を行う。そして、上記条件を満たした場合には、「待機処理」を終了させて、再び、「循環過熱処理」を行う。Ｓ１６で保温制御を開始した後は、これらの「循環加熱処理」と「待機処理」とを交互に繰り返すように保温制御を行い、Ｓ１５からの計測時間が予め設定された保温時間に達するまでこのような保温制御を継続する。そして、Ｓ１５からの計測時間が保温時間を経過した場合には、Ｓ１７にてＹｅｓに進み、上述した保温制御を終了する（Ｓ１８）。
【００４３】
本構成では、コントローラ２２が保温制御部の一例に相当し、湯張り制御部による浴槽６０への湯張り動作が完了した後、少なくとも保温時間が経過するまでの間、循環経路を介して浴槽６０内の水を循環させるとともに熱交換器５６によって循環する水を加熱するように、浴槽６０内の水を保温する制御を行う。なお、上述した保温制御はあくまで一例であり、予め設定された保温時間の間、浴槽６０内の水を保温し得る制御方法であれば、上述した方法以外の様々な方法を用いることができる。
【００４４】
また、本構成では、ユーザは、リモートコントローラ８０の操作部を操作して保温時間を入力することができ、任意の保温時間を指定してメモリ２２Ｂに記憶させておくことができる。また、既に保温時間が設定されていても、ユーザは、操作部に対する新たな操作によって保温時間を再入力することができ、メモリ２２Ｂに、再入力された保温時間を新たに記憶させるように更新設定することができる。具体的には、メモリ２２Ｂ及び制御部２２Ａが保温時間設定部の一例に相当し、保温時間（例えば、保温制御の開始から終了までの時間間隔）を設定するように機能する。また、メモリ２２Ｂ及び制御部２２Ａは、設定変更手段の一例に相当し、リモートコントローラ８０の操作部に対する操作に基づいて保温時間設定部での設定内容を変更するように機能する。
【００４５】
Ｓ１８にて保温制御を終了させた後には、配管洗浄制御を行う（Ｓ１９）。
Ｓ１９で配管洗浄制御が実行されると、コントローラ２２は、給湯側回路２から所定量（例えば、７リットル）の水（冷水又は湯）を浴槽６０に流し込ませる。具体的には、Ｓ１９の実行時点でリモートコントローラ８０が運転オン状態の場合（即ち、第１リモートコントローラ８１及び第２リモートコントローラ８２がいずれも運転オン状態の場合）、給湯側回路２を動作させて所定温度（例えば、予め定められた風呂設定温度）の湯を生成し、給湯側回路２から落とし込み管７０を通して所定量（例えば、７リットル）の湯を浴槽６０に流し込む。一方、Ｓ１９の実行時点でリモートコントローラ８０が運転オフ状態の場合（即ち、第１リモートコントローラ８１及び第２リモートコントローラ８２がいずれも運転オフ状態の場合）、ガスバーナ４を点火させない非動作状態を維持しつつ落とし込み管７０に設けられた給湯用電磁弁７２を開弁させ、給湯側回路２から落とし込み管７０を通して所定量（例えば、７リットル）の冷水（即ち、水入口１６から導入された冷水）を浴槽６０に流し込む。
【００４６】
本構成では、コントローラ２２が配管洗浄制御部の一例に相当し、湯張り制御部によって行われる湯張り動作の完了後において所定の時間経過状態となった場合（具体的には、保温制御部による保温制御が完了した後）に、給湯側回路２から風呂側回路３に構成される循環経路内へと水を導くとともに循環経路を通過させて浴槽６０内へと流すように配管洗浄制御を行うように機能する。
【００４７】
また、Ｓ１９で実行される配管洗浄制御の際には、第１リモートコントローラ８１の表示部８１Ｂにおいて、図８（Ａ）又は図８（Ｂ）のような表示がなされる。なお、本構成では、第１リモートコントローラ８１の制御部８１Ａが「表示制御部」の一例に相当し、配管洗浄制御が行われる際に、リモートコントローラ８１の表示部８１Ｂに配管洗浄中であることを示す表示を行わせるように機能する。具体的には、第１リモートコントローラ８１が運転オン状態のときに図８（Ａ）のような表示を行い、第１リモートコントローラ８１が運転オフ状態のときに図８（Ｂ）のような表示を行う。
【００４８】
図８の例では、第１リモートコントローラ８１が運転オン状態（所定のオン状態）及び運転オフ状態（所定のオフ状態）のいずれの場合でも、Ｓ１９で配管洗浄制御が実行される際（即ち、配管洗浄制御部に相当する制御部２２Ａによって配管洗浄制御が行われる際）には、第一表示領域１１１、第二表示領域１１２、浴槽表示領域１１４、第一情報表示領域１３１、第二情報表示領域１３２にて同一の表示制御がなされる。具体的には、第１リモートコントローラ８１が運転オン状態及び運転オフ状態のいずれの場合でも図９（Ａ）（Ｂ）（Ｃ）で示すような表示が一定時間ごとに切り替わるようになっており、この表示では、第一表示領域１１１において第一図形１２１を動的な表示状態とし、第二表示領域１１２において第二図形２２２を動的な表示状態とし、浴槽表示領域１１４において浴槽図形１２４を静的な表示状態とし、第一情報表示領域１３１及び第二情報表示領域１３２はいずれも非表示状態とするように表示制御を行う。
【００４９】
図９の例では、第１リモートコントローラ８１が運転オン状態及び運転オフ状態のいずれの場合でも、Ｓ１９にて配管洗浄制御が行われる最中には、制御部８１Ａによる表示制御では、浴槽表示領域１１４において浴槽図形１２４を継続的に表示した固定表示状態とし、第一情報表示領域１３１及び第二情報表示領域１３２において第一情報及び第二情報をいずれも継続的に表示しない固定非表示状態とする。一方、第一表示領域１１１及び第二表示領域１１２において、第一図形１２１（第一矢印図形）の表示度合いと第二図形１２２（第二矢印図形）の表示度合いとを同期させつつ時間経過に伴って両矢印図形が浴槽図形に向かって次第に延びるように短時間毎の動的表示を行い、且つ短時間毎の動的表示を繰り返すように表示制御を行う。
【００５０】
図９（Ａ）の表示時期（第１時期）には、第一表示領域１１１及び第二表示領域１１２のいずれでも、各矢印図形の根元部分に相当する第１部分図形のみが表示される。図９（Ａ）の表示時期では、第一表示領域１１１で表示される第一図形１２１の一部（第１部分図形１２１Ａ）と、第二表示領域１１２で表示される第二図形１２２の一部（第１部分図形１２２Ａ）とが同一図形であり、これらの同一図形の表示が略同一のタイミングで開始するようになっている。そして、図９（Ａ）の表示時期の直後に到来する図９（Ｂ）の表示時期（第２時期）には、第一表示領域１１１及び第二表示領域１１２のいずれでも、図９（Ａ）の表示時期からの上記第１部分図形の表示が継続し、その表示に加えて、第一図形１２１及び第二図形１２２の各矢印の中間部分に相当する第２部分図形がそれぞれ表示される。図９（Ｂ）の表示時期に表示が開始する第一図形１２１の一部（第２部分図形１２１Ｂ）と第二図形１２２の一部（第１部分図形１２２Ｂ）とは同一図形であり、これらの同一図形の表示が略同一のタイミングで開始するようになっている。更に、図９（Ｂ）の表示時期の直後に到来する図９（Ｃ）の表示時期（第３時期）では、図９（Ｂ）の表示時期からの上記第１部分図形及び第２部分図形の表示が継続し、その表示に加えて、第一図形１２１及び第二図形１２２の各矢印の先端部分に相当する第３部分図形がそれぞれ表示される。図９（Ｃ）の表示時期に表示が開始する第一図形１２１の一部（第３部分図形１２１Ｃ）と第二図形１２２の一部（第３部分図形１２２Ｃ）とは同一図形であり、これらの同一図形の表示が略同一のタイミングで開始するようになっている。このように第１時期、第２時期、第３時期のいずれの時期でも、第一表示領域１１１で表示される図形と、第二表示領域１１２で表示される図形とが同一の図形となっており、２つの領域で常に同図形が表示されるように、両矢印図形の表示状態が同期して切り替わるようになっている。
【００５１】
Ｓ１９にて配管洗浄制御が行われる際の表示は、以上のような表示制御を基本とする。そして、第１リモートコントローラ８１が上述した運転オン状態（所定のオン状態）であるときには、図８（Ａ）のように所定の運転情報の表示を表示状態としたまま、図９のように表示制御を行う。なお、図８（Ａ）の例では、所定の運転情報として、給湯の設定温度情報１２０、省エネルギー情報１２６、時刻情報１２７、優先場所情報１２８などを表示している。
【００５２】
一方、第１リモートコントローラ８１が運転オフ状態（所定のオフ状態）であるときには、図８（Ｂ）のように所定の運転情報の表示を非表示状態としたまま、図９のような表示制御を行う。なお、図８（Ｂ）の例では、第１リモートコントローラ８１が運転オフ状態のときに配管洗浄制御が行われる間は、給湯の設定温度情報１２０、省エネルギー情報１２６、時刻情報１２７、優先場所情報１２８などを全て表示せず、具体的には、第一図形１２１、第二図形１２２、浴槽図形１２４以外の図形や情報を表示しないようになっている。
【００５３】
なお、本構成では、上述したように第１リモートコントローラ８１が運転オフ状態（所定のオフ状態）となるときに連動して第２リモートコントローラ８２が運転オフ状態となる。このように第２リモートコントローラ８２が運転オフ状態となっているときに配管洗浄制御が行われていても表示部８２Ｂの表示領域全体が非表示状態で維持されるようになっている。
【００５４】
＜実施例１の変更例１＞
実施例１では、保温時間設定部によって保温時間が設定されない場合に配管洗浄制御を行わない例を示したが、保温時間設定部で設定される保温時間が予め定められた基準時間よりも短い時間である場合に配管洗浄制御を行わないようにしてもよい。例えば、Ｓ１４の判断処理においてメモリ２２Ｂを参照した際に、保温設定がなされていない場合（メモリ２２Ｂに保温設定がなされていることを示す情報が記憶されていない場合）、又は、保温時間が所定の閾値時間よりも短い場合（メモリ２２Ｂに保温設定がなされていることを示す情報が記憶されているが、対応して記憶された保温時間が閾値時間よりも短い場合）の少なくともいずれかの場合に、Ｓ１４にてＮｏに進み、この場合には、Ｓ１０に戻るようにしてもよい。
【００５５】
＜実施例１の変更例２＞
実施例１又はその変更例のいずれでも、配管洗浄制御を行う設定と行わない設定を切り替え可能にしてもよい。例えば、リモートコントローラ８０のいずれかの操作部に対して所定の設定操作（例えば、配管洗浄に対応する番号「２７」を入力し、その番号に対応させて「Ｏｎ」を入力することで配管洗浄を行うことを指定する操作）がなされた場合に、図１０（Ｂ）のように配管洗浄制御を行う旨を表示し、配管洗浄を行うことを示す情報をメモリ２２Ｂに記憶しておくことができる。また、リモートコントローラ８０のいずれかの操作部に対して所定の設定操作（配管洗浄に対応する番号「２７」を入力し、その番号に対応させて「ＯＦｆ」を入力することで配管洗浄を行わないことを指定する操作）がなされた場合に、図１０（Ａ）のように配管洗浄制御を行わない旨を表示し、その旨の情報をメモリ２２Ｂに記憶しておくことができる。このような例では、Ｓ１９の処理開始直前にメモリ２２Ｂを参照し、配管洗浄を行うことを示す情報が記憶されている場合にはＳ１９の制御を実行し、配管洗浄を行うことを示す情報が記憶されていない場合にはＳ１９の制御を実行しないようにすればよい。なお、このような制御方法は、後述する他の実施例にも適用できる。
【００５６】
＜実施例２＞
実施例２の給湯システム１は、図７で示す湯張り・配管洗浄制御を図１１のように変更した点が実施例１と異なり、それ以外は実施例１と同一である。よって、実施例１と同一の点については詳細な説明は省略し、適宜、図１〜図６、図８〜図１０を参照することとする。例えば、風呂側回路としては、実施例１と同一のハードウェア構成をなす風呂側回路３が設けられ、給湯側回路については実施例１と同一のハードウェア構成をなす給湯側回路２が設けられる。また、リモートコントローラ８０のハードウェア構成も実施例１と同様であり、図２で示す第１リモートコントローラ８１及び第２リモートコントローラ８２と同一のハードウェア構成となっている。
【００５７】
図１１で示す湯張り・配管洗浄制御は、実施例１と同様、リモートコントローラ８０が上述した運転オン状態になった場合にコントローラ２２によって実行される。なお、この例でもコントローラ２２が湯張り制御部の一例に相当する。また、図１１で示す湯張り・配管洗浄制御においてＳ２１〜Ｓ２４の処理は、図７のＳ１０〜Ｓ１３と同様の処理となっている。
【００５８】
一方、この例では、Ｓ２４にて湯張り制御が終了した直後、Ｓ２５にてタイマをスタートさせる。そして、Ｓ２５で計測を開始したタイマが一定時間に達した場合にＳ２６にてＹｅｓに進み、Ｓ２７にて配管洗浄制御を行う。つまり、この例では、湯張りの完了後、一定時間経過した場合に配管洗浄制御を行うようになっている。なお、Ｓ２７の配管洗浄制御は、図７のＳ１９の制御と同一の制御であり、この例でも、コントローラ２２が配管洗浄制御部の一例に相当する。また、Ｓ２７で配管洗浄制御が行われているときの表示部８１Ｂにおける表示制御方法は、実施例１のＳ１９における表示部８１Ｂの表示制御方法（図８、図９参照）と同様であり、この例でも、配管洗浄制御の際には、表示部８１Ｂに配管洗浄中であることを示す表示を実施例１と同様の方法で行わせるようになっている。
【００５９】
＜実施例２の変更例＞
変更例の給湯システム１は、図１１で示す湯張り・配管洗浄制御を図１２のように変更した点が上述した実施例２の代表例と異なり、それ以外は実施例１と同一である。図１２で示す湯張り・配管洗浄制御も、実施例１と同様、リモートコントローラ８０が上述した運転オン状態になった場合にコントローラ２２によって実行される。なお、この例でもコントローラ２２が湯張り制御部の一例に相当する。また、図１２で示す湯張り・配管洗浄制御においてＳ３１、Ｓ３３、Ｓ３４、Ｓ３５の処理はそれぞれ、図７のＳ１０、Ｓ１１、Ｓ１２、Ｓ１３と同様の処理となっている。
【００６０】
この例では、Ｓ３１にて湯張り開始条件が成立した直後、Ｓ３２にてタイマをスタートさせる。そして、Ｓ３５で湯張り制御が終了した後、Ｓ３２で計測を開始したタイマが一定時間に達した場合にＳ３６にてＹｅｓに進み、Ｓ３７にて配管洗浄制御を行う。つまり、この例では、湯張り制御が開始してから一定時間経過した場合に配管洗浄制御を行うようになっている。なお、Ｓ３７の配管洗浄制御は、図７のＳ１９の制御と同一であり、この例でも、コントローラ２２が配管洗浄制御部の一例に相当する。また、Ｓ３７で配管洗浄制御が行われているときの表示部８１Ｂにおける表示制御方法は、実施例１のＳ１９における表示部８１Ｂの表示制御方法（図８、図９等参照）と同様であり、この例でも、配管洗浄制御の際には、表示部８１Ｂに配管洗浄中であることを示す表示を実施例１と同様の方法で行わせるようになっている。
【００６１】
＜実施例３＞
実施例３の給湯システム１は、図７で示す湯張り・配管洗浄制御を図１３のように変更した点が実施例１と異なり、それ以外は実施例１と同一である。よって、実施例１と同一の点については詳細な説明は省略し、適宜、図１〜図６、図８〜図１０を参照することとする。
【００６２】
図１３で示す湯張り・配管洗浄制御は、実施例１と同様、リモートコントローラ８０が上述した運転オン状態になった場合にコントローラ２２によって実行される。なお、この例でもコントローラ２２が湯張り制御部の一例に相当する。また、図１３で示す湯張り・配管洗浄制御においてＳ４１〜Ｓ４４の処理は、図７のＳ１０〜Ｓ１３と同様の処理となっている。
【００６３】
一方、この例では、Ｓ４４にて湯張り制御が終了した直後、Ｓ４５にてリモートコントローラ８０が運転オフ状態となったか否かを判断する。そして、リモートコントローラ８０が運転オフ状態に切り替わっていない場合にはＳ４５にてＮｏに進み、Ｓ４９にて湯張り開始条件が成立したか否かを判断する。Ｓ４９の判断方法は、Ｓ４１の判断方法と同様である。つまり、この例では、Ｓ４４で湯張り制御が終了した後、リモートコントローラ８０が運転オン状態で維持され、湯張り開始条件が成立しない間は、Ｓ４５でＮｏ、ＳでＮｏの判断が繰り返される待機状態となる。また、このような待機状態のときに湯張り開始条件が成立した場合にはＳ４９にてＹｅｓに進み、Ｓ４２以降の処理を行うことになる。
【００６４】
一方、上記待機状態のときにいずれかのリモートコントローラ８０の運転切替ボタンが押圧され、リモートコントローラ８０が運転オフ状態になった場合、Ｓ４５にてＹｅｓに進み、Ｓ４６にてタイマをスタートさせる。そして、Ｓ４６で計測を開始したタイマが一定時間に達した場合にＳ４７にてＹｅｓに進み、Ｓ４８にて配管洗浄制御を行う。つまり、この例では、湯張り制御が完了した後、リモートコントローラ８０がオフ状態となり且つそのオフ状態が一定時間継続した場合に配管洗浄制御を行うようになっている。なお、Ｓ４８の配管洗浄制御は、図７のＳ１９の制御と同一であり、この例でも、コントローラ２２が配管洗浄制御部の一例に相当する。また、Ｓ４８で配管洗浄制御が行われているときの表示部８１Ｂにおける表示制御方法は、実施例１のＳ１９における表示部８１Ｂの表示制御方法（図８、図９等参照）と同様であり、この例でも、配管洗浄制御の際には、表示部８１Ｂに配管洗浄中であることを示す表示を実施例１と同様の方法で行わせるようになっている。
【００６５】
この例でも、コントローラ２２が湯張り制御部の一例に相当し、リモートコントローラ８０が所定のオフ状態（運転オフ状態）となってから所定の時間経過状態となった場合に、給湯側回路２から循環経路内へと水を導くとともに循環経路を通過させて浴槽６０内へと流すように配管洗浄制御を行うように機能する。また、この例でも、第１リモートコントローラ８１の制御部８１Ａが表示制御部の一例に相当し、少なくとも配管洗浄制御部によって配管洗浄制御が行われる際に、表示部８１Ｂに配管洗浄中であることを示す表示を行わせるように機能する。
【００６６】
＜他の実施例＞
上述した実施例では、第１リモートコントローラ８１の運転状態と第２リモートコントローラ８２の運転状態とが連動する構成を示したが、これらが連動しない構成であってもよい。即ち、第１リモートコントローラ８１の運転オン状態と運転オフ状態が第２リモートコントローラ８２とは独立して切り替わり、第２リモートコントローラ８２の運転オン状態と運転オフ状態が第１リモートコントローラ８１とは独立して切り替わる構成であってもよい。
【００６７】
実施例３では、第１リモートコントローラ８１の運転状態と第２リモートコントローラ８２の運転状態がそれぞれ独立して切り替わる場合、第２リモートコントローラ８２にかかわらず、第１リモートコントローラ８１が運転オフ状態となった場合にＳ４５にてＹｅｓに進み、第１リモートコントローラ８１が運転オフ状態となってから一定時間経過した場合にＳ４８にて配管洗浄制御を行うようにしてもよい。
【００６８】
実施例３では、「リモートコントローラの所定のオフ状態となってから所定の時間経過状態となった場合」として、「リモートコントローラ８０が所定のオフ状態（運転オフ状態）となってから一定時間経過した場合」を例示したが、「リモートコントローラ８０が所定のオフ状態（運転オフ状態）となってから浴槽６０内の温度が所定温度以下になった場合」などであってもよい。
【符号の説明】
【００６９】
１…給湯システム
２…給湯側回路
３…風呂側回路
２２…コントローラ（湯張り制御部、配管洗浄制御部、保温制御部、保温時間設定部、設定変更部）
５６…熱交換器
６０…浴槽
６６…通水管（循環経路）
６７…戻り配管
６８…往き配管
８１…第１リモートコントローラ（リモートコントローラ）
８１Ａ…制御部（表示制御部）
８１Ｂ…表示部
８１Ｃ…操作部
８２…第２リモートコントローラ（リモートコントローラ）
８２Ｃ…操作部
１１１…第一表示領域
１１２…第二表示領域
１２１…第一図形
１２２…第二図形
【図１】
2019082319.tif 000003
【図２】
2019082319.tif 000004
【図３】
2019082319.tif 000005
【図４】
2019082319.tif 000006
【図５】
2019082319.tif 000007
【図６】
2019082319.tif 000008
【図７】
2019082319.tif 000009
【図８】
2019082319.tif 000010
【図９】
2019082319.tif 000011
【図１０】
2019082319.tif 000012
【図１１】
2019082319.tif 000013
【図１２】
2019082319.tif 000014
【図１３】
2019082319.tif 000015